(57)【要約】【課題】使用者がボタン操作することなく、自動的にＰＢモードに切り替えることができる電話装置及びその制御方法を提供する。【解決手段】モードを検出するモード検出手段と、ＤＰモードとＰＢモードとを相互に切り替えるモード切替手段と、を有する電話装置１０であって、モード検出手段によりＤＰモードが検出されたときに、モード切替手段によりＰＢモードに切り替えられるようにした。【選択図】      図１
2006262271.tif 000002
【特許請求の範囲】
【請求項１】
モードを検出するモード検出手段と、ＤＰモードとＰＢモードとを相互に切り替えるモード切替手段と、を有する電話装置であって、
前記モード検出手段により前記ＤＰモードが検出されたときに前記モード切替手段により前記ＰＢモードに切り替えられることを特徴とする電話装置。
【請求項２】
所定の発信先電話番号を記憶する記憶手段と、ＤＰモードとＰＢモードとを相互に切り替えるモード切替手段と、ダイヤル入力された電話番号が前記記憶手段に記憶された電話番号と一致するか否かを判断する制御手段と、を有する電話装置であって、
ダイヤル入力された電話番号が前記記憶手段に記憶された電話番号と一致すると前記制御手段により判断された場合には、前記モード切替手段により前記ＰＢモードに切り替えられることを特徴とする記載の電話装置。
【請求項３】
通話終了後には、前記モード切替手段により前記ＤＰモードに切り替えられることを特徴とする請求項１又は２に記載の電話装置。
【請求項４】
モードを検出するモード検出手段と、ＤＰモードとＰＢモードとを相互に切り替えるモード切替手段と、を有する電話装置の制御方法であって、
前記モード検出手段により前記ＤＰモードが検出されたときに前記モード切替手段により前記ＰＢモードに切り替えられることを特徴とする電話装置の制御方法。
【請求項５】
所定の発信先電話番号を記憶する記憶手段と、ＤＰモードとＰＢモードとを相互に切り替えるモード切替手段と、ダイヤル入力された電話番号が前記記憶手段に記憶された電話番号と一致するか否かを判断する制御手段と、を有する電話装置であって、
ダイヤル入力された電話番号が前記記憶手段に記憶された電話番号と一致すると前記制御手段により判断された場合には、前記モード切替手段により前記ＰＢモードに切り替えられることを特徴とする電話装置の制御方法。
【請求項６】
通話終了後には、前記モード切替手段により前記ＤＰモードに切り替えられることを特徴とする請求項４又は５に記載の電話装置の制御方法。
【発明の詳細な説明】
【技術分野】
【０００１】
本発明は、発信時の選択信号のダイヤルモードをダイヤルパルスモード（ＤＰモード）にて出力する機能を有する電話装置及びその制御方法に関する。
【背景技術】
【０００２】
ダイヤルモードをダイヤルパルスモード（ＤＰモード）として出力する従来の電話装置はそのＤＰモードを例えば遠隔操作が可能なＰＢモード（ＤＴＭＦモード）に切り替える機能を備えているが、モードを切り替えるためには使用者がボタン操作する必要があり、自動的にＰＢモードに切り替わる機能を備えているものはなかった。
【０００３】
なお、上記従来技術は公用の技術であり、本発明は公用の技術をもとに開発したものである。このため、出願人は、特許出願の時において本発明に関連する文献公知発明の存在を知らず、文献公知発明の名称その他の文献公知発明に関する情報の所在の記載を省略する。
【発明の開示】
【発明が解決しようとする課題】
【０００４】
ところで、上記従来の電話装置は、ＤＰモードからＰＢモードに切り替えるために、ボタン操作しなければならず、非常に使い難いものであった。特に、お年寄りにとってはボタン操作が困難であり、改良の余地が大きい問題であった。
【０００５】
そこで、本発明は、上記事情を考慮し、使用者がボタン操作することなく、自動的にＰＢモードに切り替えることができる電話装置及びその制御方法を提供することを目的とする。
【課題を解決するための手段】
【０００６】
請求項１に記載の発明は、モードを検出するモード検出手段と、ＤＰモードとＰＢモードとを相互に切り替えるモード切替手段と、を有する電話装置であって、前記モード検出手段により前記ＤＰモードが検出されたときに前記モード切替手段により前記ＰＢモードに切り替えられることを特徴とする。
【０００７】
請求項１に記載の発明によれば、モード検出手段によりＤＰモードが検出されたときにモード切替手段によりＰＢモードに切り替えられるため、使用者がボタン操作することなく、自動的にＰＢモードに切り替えられる。これにより、容易に、ＤＴＭＦ信号を利用した各種のサービスの提供を受けることができ、また、遠隔操作時などにおける暗証番号の入力などを行うことができ、電話装置を使い易くすることができる。
【０００８】
請求項２に記載の発明は、所定の発信先電話番号を記憶する記憶手段と、ＤＰモードとＰＢモードとを相互に切り替えるモード切替手段と、ダイヤル入力された電話番号が前記記憶手段に記憶された電話番号と一致するか否かを判断する制御手段と、を有する電話装置であって、ダイヤル入力された電話番号が前記記憶手段に記憶された電話番号と一致すると前記制御手段により判断された場合には、前記モード切替手段により前記ＰＢモードに切り替えられることを特徴とする。
【０００９】
請求項２に記載の発明によれば、ダイヤル入力された電話番号が記憶手段に記憶された電話番号と一致すると制御手段により判断された場合には、モード切替手段によりＰＢモードに切り替えられるため、所定の発信先電話装置に対して発信するときに必ずＰＢモードに切り替えることができる。
【００１０】
請求項３に記載の発明は、請求項１又は２に記載の電話装置において、通話終了後には、前記モード切替手段により前記ＤＰモードに切り替えられることを特徴とする。
【００１１】
請求項３に記載の発明によれば、通話終了後には、モード切替手段によりＤＰモードに切り替えられるため、使用者がボタン操作することなく、自動的に本来のＤＰモードに戻すことができる。
【００１２】
請求項４に記載の発明は、モードを検出するモード検出手段と、ＤＰモードとＰＢモードとを相互に切り替えるモード切替手段と、を有する電話装置の制御方法であって、前記モード検出手段により前記ＤＰモードが検出されたときに前記モード切替手段により前記ＰＢモードに切り替えられることを特徴とする。
【００１３】
請求項４に記載の発明によれば、モード検出手段によりＤＰモードが検出されたときにモード切替手段によりＰＢモードに切り替えられるため、使用者がボタン操作することなく、自動的にＰＢモードに切り替えられる。これにより、容易に、ＤＴＭＦ信号を利用した各種のサービスの提供を受けることができ、また、遠隔操作時などにおける暗証番号の入力などを行うことができ、電話装置を使い易くすることができる。
【００１４】
請求項５に記載の発明は、所定の発信先電話番号を記憶する記憶手段と、ＤＰモードとＰＢモードとを相互に切り替えるモード切替手段と、ダイヤル入力された電話番号が前記記憶手段に記憶された電話番号と一致するか否かを判断する制御手段と、を有する電話装置であって、ダイヤル入力された電話番号が前記記憶手段に記憶された電話番号と一致すると前記制御手段により判断された場合には、前記モード切替手段により前記ＰＢモードに切り替えられることを特徴とする。
【００１５】
請求項５に記載の発明によれば、ダイヤル入力された電話番号が記憶手段に記憶された電話番号と一致すると制御手段により判断された場合には、モード切替手段によりＰＢモードに切り替えられるため、所定の発信先電話装置に対して発信するときに必ずＰＢモードに切り替えることができる。
【００１６】
請求項６に記載の発明は、請求項４又は５に記載の電話装置の制御方法において、通話終了後には、前記モード切替手段により前記ＤＰモードに切り替えられることを特徴とする。
【００１７】
請求項６に記載の発明によれば、通話終了後には、モード切替手段によりＤＰモードに切り替えられるため、使用者がボタン操作することなく、自動的に本来のＤＰモードに戻すことができる。
【発明の効果】
【００１８】
本発明によれば、使用者がボタン操作することなく、自動的にＰＢモードに切り替えることができる。
【発明を実施するための最良の形態】
【００１９】
次に、本発明の第１実施形態に係る電話装置について、図面を参照して説明する。
【００２０】
図１に示すように、電話装置１０は、電話回線１２と接続される回線制御部１４を備えている。この回線制御部１４は、電話回線１２の開放制御又は閉結制御を行う。なお、回線制御路１４には、後述の制御回路３６が接続されている。
【００２１】
また、回線制御部１４には、切替回路２２が接続されている。この切替回路２２には、増幅回路２４を介して第１スピーカ２６が接続されている。この第１スピーカ２６は、増幅回路２４で増幅された回線制御部１４の電気信号を音声に変換する。この第１スピーカ２６は、ユーザの耳にあてて通話に使用される。
【００２２】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されて回線制御部１４に出力される。
【００２３】
また、切替回路２２には、増幅回路３２を介して第２スピーカ３４が接続されている。この第２スピーカ３４は、増幅回路３２で増幅された回線制御部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００２４】
この切替回路２２は、回線制御部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００２５】
また、回線制御部１４及び切替回路２２には、制御回路（制御手段）３６がそれぞれ接続されている。この制御回路３６の制御により上述した切替回路２２による切り替えが行われる。また、制御回路３６により回線制御部１４が制御され、回線制御部１４により第１スピーカ２６及び第２スピーカ３４の音量やマイクロホン３０の感度が変更される。制御回路３６は、ＲＯＭ３８と接続されており、ＲＯＭ３８に格納されているシステムプログラムに基づき各部を制御する。
【００２６】
制御回路３６には、制御回路３６の動作に必要な所定の情報が記憶されているＲＡＭ４０が接続されている。
【００２７】
ここで、ＲＡＭ４０には、相手先の氏名と電話番号を複数格納する。
【００２８】
また、制御回路３６には、入力部４４が接続されている。この入力部４４は、電話番号等の入力を行うテンキー４８と、通話の開始を操作する通話キー５０と、通話の終了を操作する切キー５２と、各種機能の設定を行う機能キー５４と、後述の照明部４６からディスプレイ４２への照明を停止し電話装置１０が鳴動不可能な状態（電源オフの状態）にする電源キー６４と、を有している。
【００２９】
また、制御回路３６には、所定の色のＬＥＤ素子を備えた照明部４６が接続されている。照明部４６のＬＥＤ素子の発光により、ディスプレイ４２が所定の色に施される。
【００３０】
また、制御回路３６には、ダイヤルパルスを発生するＤＰ発生回路１６とＤＴＭＦを発生するＤＴＭＦ発生回路１８とを有している。
【００３１】
次に、本実施形態に係る電話装置１０の動作について説明する。図２は本実施形態に係る電話装置１０の動作を示すフローチャートである。
【００３２】
図２に示すように、制御回路３６によりテンキー４８などからダイヤル入力されたか否かが判断される（ステップ１０）。制御回路３６によりダイヤル入力されたと判断された場合には、制御回路３６は、現在の状態が、ダイヤルパルスモードであるか否かを判定し、（ステップ１２）。そして、ダイヤルパルスモードであると判定した場合には、ダイヤル入力された電話番号がＲＡＭ４０に記憶された電話番号と一致するか否かが制御回路３６により判断される（ステップ１４）。なお、ＤＩＭＦモードであれば、処理を終了し、続いて発呼動作へ移る。ダイヤル入力された電話番号がＲＡＭ４０に記憶された電話番号と一致すると制御回路３６により判断された場合には、制御回路３６によりモード切替回路１６が制御され、ＤＰモードからＤＴＭＦモードに切り換えられる（ステップ１６）。なお、ダイヤル入力された電話番号がＲＡＭ４０に記憶された電話番号と一致しないと制御回路３６により判断された場合には、そのまま終了する。
【００３３】
以上のように、本実施形態の電話装置１０によれば、ダイヤルパルスモードと判定され、かつダイヤル入力された電話番号がＲＡＭ４０に記憶された電話番号と一致すると制御回路３６により判断された場合には、使用者がボタン操作することなく、自動的にＰＢモードに切り替えられる。これにより、容易に、ＤＴＭＦ信号を利用した各種のサービスの提供を受けることができ、また、遠隔操作時などにおける暗証番号の入力などを行うことができ、電話装置１０を使い易くすることができる。特にお年寄りにとって一層使い易くすることができる。
【００３４】
また、通話終了後には、モード切替回路１６によりＤＰモードに切り替えられるように、制御回路３６が制御することにより、使用者がボタン操作することなく、自動的に本来のＤＰモードに戻すことができる。
【００３５】
次に、本実施形態に係る電話装置１０の動作の変形例について説明する。
【００３６】
図３に示すように、制御回路３６によりテンキー４８などからダイヤル入力されたか否かが判断される（ステップ２０）。制御回路３６によりダイヤル入力されたと判断された場合には、ダイヤル入力された電話番号がＲＡＭ４０に記憶された電話番号と一致するか否かが制御回路３６により判断される（ステップ２２）。ダイヤル入力された電話番号がＲＡＭ４０に記憶された電話番号と一致すると制御回路３６により判断された場合には、制御回路３６により現在ＤＰモードであるか否かが判定され、ＤＰモードであればＳ２６ステップへ、そうでなければ処理を終了する。なお、ダイヤル入力された電話番号がＲＡＭ４０に記憶された電話番号と一致しないと制御回路３６により判断された場合には、そのまま終了する。次に、Ｓ２６ステップで、制御回路３６は、ＤＰモードからＰＢモードに切り換え、以降のダイヤル入力は自動的にＤＴＭＦで行われる。（ステップ２６）。なお、モード検出回路１８によりＤＰモードではなくＰＢモードが検出された場合には、そのまま終了する。
【００３７】
上記説明した変形例によっても、使用者がボタン操作することなく、自動的にＰＢモードに切り替えることができる。これにより、容易に、ＤＴＭＦ信号を利用した各種のサービスの提供を受けることができ、また、遠隔操作時などにおける暗証番号の入力などを行うことができ、電話装置１０を使い易くすることができる。
【図面の簡単な説明】
【００３８】
【図１】本発明の一実施形態に係る電話装置のブロック図である。
【図２】本発明の一実施形態に係る電話装置の動作を示すフローチャートである。
【図３】本発明の一実施形態に係る電話装置の動作の変形例を示すフローチャートである。
【符号の説明】
【００３９】
１０      電話装置
１６      ＤＰ発生回路
１８      ＤＴＭＦ発生回路
３６      制御回路（制御手段）
４０      ＲＡＭ（記憶手段）
【図１】
2006262271.tif 000003
【図２】
2006262271.tif 000004
【図３】
2006262271.tif 000005